(57)【要約】【課題】イメージセンサの移動方向に対して交差する方向の長さを短くすること。【解決手段】画像読取装置は、１対のガラス１，２と、１対のガラス１，２を介して原稿を読み取ると共に、１対のガラス１，２に沿って移動可能なイメージセンサ４と、イメージセンサ４を１対のガラス１，２に付勢する圧縮コイルばねと、イメージセンサ４の１対のガラス１，２との間に介在するスペーサ５と、イメージセンサ４が１対のガラス１，２間を移動する際にスペーサ５を押圧し、イメージセンサ４が１対のガラス１，２間を移動できるように圧縮コイルばね８の付勢力に抗してイメージセンサ４を透明部材から遠ざける潜行ガイド部６と、を備えている。スペーサ５がガラス１，２とイメージセンサ４との間にあるので、イメージセンサ４の移動方向に対して交差する方向の長さを短くすることができる。【選択図】図７
2016005223.tif 000002
【特許請求の範囲】
【請求項１】
複数の透明部材と、
前記複数の透明部材を介して原稿を読み取ると共に、前記複数の透明部材に沿って移動可能な読取手段と、
前記読取手段を前記複数の透明部材に付勢する付勢手段と、
前記読取手段の前記複数の透明部材との間に介在するスペーサと、
前記読取手段が前記複数の透明部材の間を移動する際に前記スペーサを押圧し、前記読取手段が前記複数の透明部材の間を移動できるように前記付勢手段の付勢力に抗して前記読取手段を前記透明部材から遠ざける押圧手段と、を備えた、
ことを特徴とする画像読取装置。
【請求項２】
前記スペーサは、
前記読取手段によって前記透明部材の上の原稿を読み取る際に前記透明部材に摺動する第１摺動部と、
前記読取手段が前記複数の透明部材の間を移動する際に、前記押圧手段に押圧されて摺動する、前記第１摺動部とは異なる位置に設けられた第２摺動部と、を備えた、
ことを特徴とする請求項１に記載の画像読取装置。
【請求項３】
前記第１摺動部は、前記読取手段と前記透明部材との間に所定の隙間を形成し、
前記第１摺動部は、前記読取手段が前記複数の透明部材の間を移動可能に形成されている、
ことを特徴とする請求項２に記載の画像読取装置。
【請求項４】
前記読取手段は、
前記読取手段の移動方向に対して交差する方向に配置されて光を原稿に照射する照射部と、
前記照射部よりも長さが短く、かつ前記照射部が原稿を照射して反射した光を受光する受光センサと、を有し、
前記スペーサは、前記読取手段の前記交差する方向の両端部に、前記照射部の前記受光センサより長い部分を覆って設けられている、
ことを特徴とする請求項１乃至３のいずれか１項に記載の画像読取装置。
【請求項５】
請求項１乃至４のいずれか１項に記載の画像読取装置と、
前記画像読取装置の画像読取情報に基づいてシートに画像を形成する画像形成部と、を備えた、
ことを特徴とする画像形成装置。
【発明の詳細な説明】
【技術分野】
【０００１】
本発明は、原稿を読み取る画像読取装置と、この画像読取装置を装置本体に備えて画像読取装置が読み取った画像をシートに形成する画像形成装置とに関する。
【背景技術】
【０００２】
従来、原稿の画像をシートに複写する複写機、プリンタ、ファクシミリ等の画像形成装置は、画像形成装置の装置本体に、原稿を読み取る画像読取装置を備えていることがある。そして、画像読取装置は、原稿を読み取る画像読取部と、画像読取部に原稿を自動的に送り込む自動原稿送り装置とを備えていることがある（特許文献１）。
【０００３】
図９は、特許文献１に記載の画像読取装置の画像読取部の部分斜視図である。画像読取部９０１は、ユーザによって原稿が表面に載置される固定読みガラス（透明部材）９０２と、不図示の自動原稿送り装置によって送り込まれてくる原稿が通過する流し読みガラス（透明部材）９０３とを、間隔をおいて平面的に備えている。また、画像読取部９０１は、固定読みガラスの下面側を移動して固定読みガラス上の原稿を読み込んだり、或いは流し読みガラスの下面側に停止して流し読みガラス上を通過する原稿を読み込んだりするイメージセンサ（読取手段）９０４も備えている。
【０００４】
画像読取部は、イメージセンサ９０４が固定読みガラス９０２と流し読みガラス９０３との一方から他方へ移動するとき、両方のガラスに高低差があると、固定読みガラスと流し読みガラスとのいずれかに引っ掛かって、移動を阻止されることがある。このため、画像読取部９０１は、イメージセンサが固定読みガラスと流し読みガラスとの一方から他方へ移動するとき、イメージセンサを固定読みガラスと流し読みガラスとから離す離間機構９１３を備えている。離間機構９１３は、イメージセンサ９０４の脇に突出した突出部９１１と、円弧部分９１２ａが形成された潜行ガイド９１２とで構成されている。潜行ガイド９１２は、画像読取装置の不図示の固定部材に固定されている。
【０００５】
イメージセンサ９０４は、例えば、固定読みガラス９０２から流し読みガラス９０３へキャリッジ９０５によって矢印Ｆ方向に移動するとき、突出部９１１が潜行ガイド９１２の円弧部分９１２ａを通過する。この間に、イメージセンサ９０４は、キャリッジ９０５とイメージセンサ９０４との間のばね９０６に抗して、ガラスから離れる方向に移動する。
【先行技術文献】
【特許文献】
【０００６】
【特許文献１】特開２００２−２１８１７６号公報
【発明の概要】
【発明が解決しようとする課題】
【０００７】
しかし、従来の画像読取装置は、イメージセンサ９０４の脇に離間機構９１３が位置している。このため、従来の画像読取装置は、イメージセンサ９０４の移動方向Ｆに対して交差する方向にスペースを必要とし、その分、大型になるという問題があった。
【０００８】
また、このような画像読取装置を装置本体に備えた画像形成装置も大型になるという問題があった。
【０００９】
本発明は、読取手段の移動方向に対して交差する方向の長さを短くした画像読取装置と、この画像読取装置を装置本体に備えた画像形成装置とを提供することにある。
【課題を解決するための手段】
【００１０】
本発明の画像読取装置および画像形成装置は、複数の透明部材と、前記複数の透明部材を介して原稿を読み取ると共に、前記複数の透明部材に沿って移動可能な読取手段と、前記読取手段を前記複数の透明部材に付勢する付勢手段と、前記読取手段の前記複数の透明部材との間に介在するスペーサと、前記読取手段が前記複数の透明部材の間を移動する際に前記スペーサを押圧し、前記読取手段が前記複数の透明部材の間を移動できるように前記付勢手段の付勢力に抗して前記読取手段を前記透明部材から遠ざける押圧手段と、を備えた、ことを特徴としている。
【発明の効果】
【００１１】
本発明の画像読取装置および画像形成装置は、読取手段の複数の透明部材との間に介在するスペーサを有しているので、読取手段の脇に突出する部材が無くなり、読取手段の移動方向に対して交差する方向の長さを短くして小型にすることができる。
【図面の簡単な説明】
【００１２】
【図１】本発明の実施形態の画像形成装置としての複写機のシート搬送方向に沿った断面概略図である。
【図２】本発明の実施形態の画像読取装置の画像読取部の外観斜視図である。
【図３】図１、図２の読取ユニットの外観斜視図である。
【図４】スペーサの着脱説明用の図である。
【図５】図３のＪ−Ｊ矢視断面図である。
【図６】光源からの光の伝わり方を示した図である。
【図７】図２のＫ−Ｋ矢視断面概略図である。
【図８】読取ユニットが潜行ガイド部の下を通過するときの動作説明用の図である。
【図９】従来の画像読取装置のイメージセンサの長手方向の一端部を示した拡大図である。
【発明を実施するための形態】
【００１３】
以下、本発明の実施形態の画像読取装置と、この画像読取装置を装置本体に備えた画像形成装置としての複写機とを図に基づいて説明をする。
【００１４】
なお、画像形成装置は、シートに画像を形成する装置であって、複写機の他に、プリンタやファクシミリ等があり、複写機に限定されるものではない。また、画像読取装置は、複写機以外にプリンタやファクシミリ等の装置本体に設けられてもよく、複写機の装置本体のみに設けられるものではない。さらに、画像読取装置は、読み取った画像読取情報を、画像読取装置が設けられた複写機の装置本体のみならず、他の複写機、プリンタ、パソコン等の外部機器にも送信できるようになっていてもよい。また、本実施形態において、上方とは図１の上端側であり、下方とは図１の下端側とする。
【００１５】
図１は、本発明の実施形態の画像形成装置としての複写機１００のシート搬送方向に沿った断面概略図である。複写機１００は、装置本体４００と、装置本体４００の上部に設けられた画像読取装置３００とを備えている。
【００１６】
装置本体４００内のピックアップローラ４２０，４２１は、カセット４０４，４０５に収納されたシートＰをカセット４０４，４０５から送り出す。搬送ローラ対４２２は、カセットから送り出されたシートを、感光体ドラム４０２と転写器４０６との間に送り込む。
【００１７】
一方、レーザスキャナ４０１は、帯電器４２３で表面を帯電された感光体ドラム４０２にレーザを照射して、画像読取装置３００で原稿を読み取った画像読取情報に基づいた潜像を感光体ドラム４０２に形成する。その潜像は、トナー現像器４０３によって、トナー現像されて、トナー画像となる。転写器４０６は、感光体ドラム４０２と転写器４０６との間に送り込まれたシートに感光体ドラム４０２のトナー画像を転写して、そのシートを感光体ドラム４０２とで定着器４０７に送り込む。定着器４０７は、シートを加熱してトナー画像をシートに定着する。最後、排出ローラ対４０８がシートをトレイ４２４に排出する。
【００１８】
シートの両面に画像を形成する場合、定着器４０７から送り出されたシートは、切替部材４０９，４１７，４１３の案内と、搬送ローラ対４１１の搬送とによって反転パス４１２に送り込まれる。その後、シートは、搬送ローラ対４１１の逆転と切替部材４１３の案内とによって、反転パス４１２から帰還パス４１０に送り込まれる。この間にシートは、スイッチバック搬送されて、表裏反転される。シートは、帰還パス４１０を案内されて、再度、感光体ドラム４０２と転写器４０６との間に送り込まれて他方の面にトナー画像を形成される。シートは、定着器４０７においてトナー画像を定着されて、最後、トレイ４２４に排出される。
【００１９】
帯電器４２３、感光体ドラム４０２、トナー現像器４０３、及び転写器４０６等は、画像形成部４３０を構成している。
【００２０】
画像読取装置３００は、画像読取部３０３と、画像読取部３０３に開閉自在に設けられた自動原稿送り装置２００とを備えている。
【００２１】
自動原稿送り装置２００は、原稿トレイ２０１上の原稿Ｄを、搬送ローラ２０２，２０３，２０５，２０６，２０７によって流し読みガラス２上に送り込み、その後、搬送ローラ２０８、排出ローラ２０９によって排出トレイ２１０に排出するようになっている。
【００２２】
画像読取部３０３は、自動原稿送り装置２００と対向する部分に、固定読みガラス１と、流し読みガラス２と、掬い上げ部材１３とを有している。画像読取部３０３の内部には、読取ユニット３０２と、信号処理部５０３等が設けられている。
【００２３】
読取ユニット３０２は、図１のように、流し読みガラス２の下に待機しており、自動原稿送り装置２００によって流し読みガラス２上に送り込まれてくる原稿に光を照射し、その光の反射光を受光して、光を電気信号に変換する。すなわち、読取ユニット３０２は、画像読取情報を電気信号に変換する。その電気信号は、信号処理部５０３によって処理された後、制御部５１０を介してレーザスキャナ４０１に送られる。このような原稿の読み方を流し読みという。
【００２４】
また、ユーザが、自動原稿送り装置２００を開いて、開放された固定読みガラス１に原稿を載置した後、自動原稿送り装置２００を閉じて、複写機１００を始動させる。すると、読取ユニット３０２が矢印Ｅ方向に移動しながら、原稿に光を照射して、反射光を電気信号に変換して、信号処理部５０３に送る。このような原稿の読み方を固定読みという。
【００２５】
また、画像読取装置３００は、読取ユニット３０２が読み取った画像読取情報を装置本体４００のレーザスキャナ４０１に送る他に、パソコン、ファクシミリ等の外部機器にも送信できるようになっている。
【００２６】
画像読取装置３００の画像読取部３０３の構成を説明する。
【００２７】
図２は、本発明の実施形態の画像読取装置の画像読取部３０３の外観斜視図である。図３は、図１、図２の読取ユニット３０２の外観斜視図である。
【００２８】
画像読取部３０３は、読取デバイスとして密着型のイメージセンサ４を使用している。画像読取部３０３は、ベースフレーム１４に、主に、次の構成要素が設けられて形成されている。原稿を読み取る読取ユニット３０２、読取ユニット３０２を案内するガイドシャフト９。ガイドシャフト９の一端側に配置されて、不図示の駆動モータの動力を伝えるギアプーリ１０。ガイドシャフト９の他端側に配置された不図示の従動プーリ。ギアプーリ１０と従動プーリとに掛け渡して、読取ユニット３０２に接続された無端環状のタイミングベルト１１。読取ユニット３０２がホームポジションに居るか否かを検知するホームポジションセンサ１２。ユーザによって原稿が載置される固定読みガラス１。自動原稿送り装置２００により送られてきた原稿を読み取るための流し読みガラス２。自動原稿送り装置２００により流し読みガラス２の上面２ａに搬送された原稿を再び自動原稿送り装置２００へ戻すために原稿を掬い上げる掬い上げ部材１３。
【００２９】
なお、複数の固定読みガラス１と流し読みガラス２は、間隔をおいて平面的に配置されており、光が透過可能な透明部材のため、図２には図示することができない。また、読取ユニット３０２は、後述するように、センサホルダ７、イメージセンサ４等で構成されている。
【００３０】
長尺の読取ユニット３０２は、主走査方向に沿った向きに配置されている。ガイドシャフト９は、読取ユニット３０２を副走査方向Ｅ，Ｆに移動案内するように配置されている。このため、読取ユニット３０２とガイドシャフト９は、互いに直交（交差）している。ガイドシャフト９は、読取ユニット３０２を往復移動可能に案内できるようにベースフレーム１４に設けられている。タイミングベルト１１は、ガイドシャフト９に略平行に架設されている。タイミングベルト１１は、読取ユニット３０２のセンサホルダ７の軸受部７１に接続されている。駆動モータの回転は、ギアプーリ１０、従動プーリを介してタイミングベルト１１に伝達されるようになっている。また、読取ユニット３０２のセンサホルダ７は、軸受部７１がガイドシャフト９に支持されて、ガイドシャフト９に沿って移動できるようになっている。軸受部７１は、ガイドシャフト９に沿ってある一定の長さを有している。このため、読取ユニット３０２は、ガイドシャフト９に沿って、往復移動する際に、固定読みガラス１や流し読みガラス２に沿って平面回転をするのが阻止されて、平行移動できるようになっている。
【００３１】
画像読取装置３００の画像読取部３０３の動作を説明する。
【００３２】
駆動モータによってタイミングベルト１１が循環すると、タイミングベルト１１に連動して読取ユニット３０２がガイドシャフト９に沿って移動する。そして、読取ユニット３０２のイメージセンサ４が固定読みガラス１の下を移動して原稿の固定読みや、あるいは流し読みガラス２の下側に停止して搬送される原稿の流し読みを行う。読取ユニット３０２の移動方向は、駆動モータの正逆回転によって、Ｅ方向とＦ方向とに変えることができる。
【００３３】
以上説明したように、画像読取装置３００は、ユーザが原稿を置いた固定読みガラス１の下側を読取ユニット３０２が移動してイメージセンサ４が原稿を読み取る固定読みを行えるようになっている。また、画像読取装置３００は、自動原稿送り装置２００によって原稿が送り込まれて来る流し読みガラス２の下側（裏側）に読取ユニット３０２が停止してイメージセンサ４で原稿を読み取る流し読みも行えるようになっている。固定読みと、流し読みとの切り替えは、ユーザが固定読みガラス１の上面１ａに原稿をセットするか、自動原稿送り装置２００の原稿トレイ２０１に原稿をセットするかによって、自動的に行えるようになっている。
【００３４】
読取ユニット３０２の構成を説明する。図３は、読取ユニット３０２の外観斜視図である。図４は、スペーサ５の着脱説明用の図である。図５は、図３のＪ−Ｊ矢視断面図である。図６は、光源からの光の伝わり方を示した図である。図７は、図２のＫ−Ｋ矢視断面概略図である。図８は、読取ユニット３０２が潜行ガイド部６の下を通過するときの動作説明用の図である。
【００３５】
読取ユニット３０２は、イメージセンサ４、圧縮コイルばね８、センサホルダ７、スペーサ５等で構成されている。読取手段としてのイメージセンサ４は、センサホルダ７に対して、水平方向に回転止めされ、かつ接近離間方向（図３で上下方向）に対して、移動自在に設けられている。スペーサ５は、イメージセンサ４の両端に着脱自在に設けられている。スペーサ５には、固定読みガラス１あるいは流し読みガラス２の下面１ｂ，２ｂ（図８）に接触して摺動する第１摺動部としての摺動突起５ａが上向き突設されている。摺動突起５ａは、イメージセンサ４とガラスとの間に一定（所定）の隙間Ｇ（図７、図８）を保持するために突設されている。このように、スペーサ５は、固定読みガラス１あるいは流し読みガラス２とイメージセンサ４との間に介在している。圧縮コイルばね８は、イメージセンサ４とセンサホルダ７との間に設けられている。付勢手段としての圧縮コイルばね８は、イメージセンサ４を固定読みガラス１あるいは流し読みガラス２の下面１ｂ，２ｂに接近する方向の付勢力を付与している。
【００３６】
このため、イメージセンサ４は、スペーサ５の摺動突起５ａを介して固定読みガラス１あるいは流し読みガラス２の下面１ｂ，２ｂ（図８）に圧接されて、矢印Ｅ，Ｆ（図１）方向に移動するようになっている。そして、イメージセンサ４は、固定読みガラス１あるいは流し読みガラス２に圧接されているので、焦点深度の浅い密着型イメージセンサを用いた場合でも、ガラスとの距離を一定に保ち、一様に鮮明な画像を得ることができる。さらに、イメージセンサ４は、ガラスに圧接されていることによって、固定読みガラス１あるいは流し読みガラス２が多少撓んでいたり捩じれていたりして歪んでいることがあっても、鮮明な画像を得ることができる。
【００３７】
ところで、図２において、画像読取部３０３には、ベースフレーム１４に取付けてあるカバー３の一部であり表面には、掬い上げ部材１３が形成されている。掬い上げ部材１３は、読取ユニット３０２の移動方向Ｅ，Ｆに対して直交する向きに、カバー３の前枠３ａと後ろ枠３ｂとに渡すようにして梁状に設けられている。また、掬い上げ部材１３は、固定読みガラス１と流し読みガラス２の間に位置している。掬い上げ部材１３は、流し読みガラス２上を通過した原稿を流し読みガラス２から掬い上げて、搬送ローラ２０８（図１）に案内するようになっている。
【００３８】
ここで、読取ユニット３０２は、掬い上げ部材１３の下を通過する必要がある。ところが、梁形状の掬い上げ部材１３は、ユーザによって押されると下側に撓むことがある。また、固定読みガラス１あるいは流し読みガラス２も、ユーザによって押されると、ガラスの端部１ｃ、２ｃ（図８）が下方に撓むことがある。このように掬い上げ部材やガラスが撓んで変形しても、読取ユニット３０２は、掬い上げ部材１３の下を確実に通過する必要がある。このため、読取ユニット３０２が掬い上げ部材１３の下を通過するとき、イメージセンサ４が圧縮コイルばね８に抗して固定読みガラス１あるいは流し読みガラス２から下方に離れて移動するようになっている。因みに、離れる距離は１ｍｍ乃至５ｍｍ（この数値は、参考数値であって、本発明を限定するものではない）である。また、この動作を潜行動作と称することとする。
【００３９】
イメージセンサ４が潜行動作を行えるように、カバー３に潜行ガイド部６が設けられ、スペーサ５に第２摺動部としての被潜行ガイド部５ｂが形成されている。潜行ガイド部６（図７、図８）は、固定読みガラス１と流し読みガラス２との間で、カバー３に一体的に形成されている。押圧部材としての潜行ガイド部６は、山形状に下向きに形成されて、固定読みガラス１と流し読みガラス２との下面１ｂ，２ｂより下方に、突出長さＬ１だけ突出している。一方、被潜行ガイド部５ｂは、スペーサ５の上面（固定読みガラス１及び流し読みガラス２側）に摺動突起５ａより低い位置に平坦に形成されている。しかも、被潜行ガイド部５ｂは、摺動突起５ａより外側でイメージセンサ４の端部４ａに近い位置に形成されている。
【００４０】
図８において、読取ユニット３０２が固定読みガラス１の下側にいるとき、イメージセンサ４は、圧縮コイルばね８（図３）に付勢されて、摺動突起５ａの部分で固定読みガラス１に当接した状態で移動する。これによって、イメージセンサ４と固定読みガラス１との間に一定の隙間Ｇが形成されている。図８において、読取ユニット３０２が固定読みガラス１から流し読みガラス２に移動するとき、スペーサ５は潜行ガイド部６を乗り越えて通過する。このとき、スペーサ５の被潜行ガイド部５ｂの部分が潜行ガイド部６の下方に突出した山形状の下端面６ａを摺動しながら潜行ガイド部６を通過する。
【００４１】
ここで、潜行ガイド部６の突出長さＬ１は、固定読みガラス１および流し読みガラス２が押圧されて撓んだ場合に発生する固定読みガラス１と流し読みガラス２との間の段差をイメージセンサ４が乗り越えることができる長さに設定されている。
【００４２】
また、潜行ガイド部６の突出長さＬ１は、摺動突起５ａの突出高さＨ１も考慮されて設定されている。すなわち、突出長さＬ１は、イメージセンサ４が固定読みガラス１と流し読みガラス２との間を移動するときに、撓みによって発生する段差に摺動突起５ａが引っ掛かることなく通過できる長さに設定されている。
【００４３】
このため、固定読みガラス１や流し読みガラス２の端部１ｃ、２ｃ及び掬い上げ部材１３が下方に撓んでいても、イメージセンサ４および摺動突起５ａは、固定読みガラス１や流し読みガラス２の端部１ｃ、２ｃ及び掬い上げ部材１３に引っ掛かることがなく、それらを通過することができる。
【００４４】
なお、スペーサ５は、固定読みガラス１や流し読みガラス２の下面１ｂ，２ｂと、潜行ガイド部６の下端面６ａとを繰り返して摺動する。このため、スペーサ５には、摩擦抵抗が少なく、耐摩耗性に優れたポリアセタール（ＰＯＭ）材が使用されている。しかも、図４に示すように、スペーサ５は、イメージセンサ４の端部４ａに着脱自在に設けられている。スペーサ５には、被潜行ガイド部５ｂの下面に下方に突出した一対の係合軸５ｃと被潜行ガイド部５ｂの脇から下方に延びて弾性を備えた係合片５ｄとが形成されている。そして、係合片５ｄの下端は、被潜行ガイド部５ｂの略平行に突出した係合爪５ｄａが形成されている。一方、イメージセンサ４の端部４ａには、スペーサ５の１対の係合軸５ｃが挿入される１対の被係合孔４ｂが上下方向に向いて形成されている。また、係合片５ｄを受け入れる被係合溝４ｃが上下方向の向きに形成されている。さらに、被係合溝４ｃと繋がって、イメージセンサ４の下側に形成されて、係合爪５ｄａが係合する被係合溝４ｄが形成されている。
【００４５】
したがって、スペーサ５は、係合軸５ｃが被係合孔４ｂに挿入され、係合片５ｄが被係合溝４ｃに係合し、係合爪５ｄａが被係合溝４ｄに係合することによって、イメージセンサ４に装着されるようになっている。また、スペーサ５は、係合片５ｄをイメージセンサ４から離す方向に弾性変形させて、係合爪５ｄａを被係合溝４ｄから外した後、係合軸５ｃを上方に引いて被係合孔４ｂから抜くことによって、イメージセンサ４から取り外して交換することができる。なお、スペーサ５は、イメージセンサ４のフレーム４５（後述する）に一体に設けられていてもよい。
【００４６】
ところで、スペーサ５は、イメージセンサ４の両端部４ａの上部を覆うようにして、イメージセンサ４に設けられている。イメージセンサ４は、フレーム４５に、光源４１と、導光体４２と、集光レンズ４３と、ＣＣＤセンサ４４等を収納して備えている。フレーム４５は、読取ユニット３０２の移動方向に対して直交する方向に長尺な部材である。光源４１は、フレーム４５の一端部に設けられている。導光体４２は、光源４１の光を矢印Ｍ方向に案内して、矢印Ｎ方向に放出し、固定読みガラス１或いは流し読みガラス２上の原稿を照射するようになっている。集光レンズ４３は、原稿に照射されて反射した光をＣＣＤセンサ４４に集光するようになっている。ＣＣＤセンサ４４は、集光レンズ４３の下側に重なっており、光を電気信号に変換して、その電気信号を信号処理部５０３に送信するようになっている。
【００４７】
光源４１と導光体４２は、照射部６１を形成している。照射部６１の長さＬ２は、光源４１の長さ（厚み）と導光体４２の長さとを加えた長さである。照射部６１の長さＬ２、集光レンズ４３の長さＬ３、ＣＣＤセンサ４４の長さＬ４は、Ｌ２＞Ｌ３＞Ｌ４の関係にある。受光センサとしてのＣＣＤセンサは、照射部６１の長さＬ２の範囲内に配置されている。そして、スペーサ５は、イメージセンサ４の両端部４ａにおいて、照射部６１のＣＣＤセンサ４４より長い部分（図４において、Ｌ５，Ｌ６の部分）を覆って設けられている。
【００４８】
すなわち、１対のスペーサ５の内、一方のスペーサ５（図４の左側）の被潜行ガイド部５ｂは、光源４１と導光体４２の左端部と集光レンズ４３の左端部とである、Ｌ５の部分を覆っている。また、他方のスペーサ５（図４の右側）の被潜行ガイド部５ｂは、導光体４２の右端部と集光レンズ４３に右端部とである、Ｌ６の部分を覆っている。
【００４９】
なお、集光レンズ４３とＣＣＤセンサ４４との長さが同じでもよい。この場合、一方のスペーサ５（図４の左側）の被潜行ガイド部５ｂは、光源４１と導光体４２の左端部とを覆っている。また、他方のスペーサ５（図４の右側）の被潜行ガイド部５ｂは、導光体４２の右端部右端部を覆っている。すなわち、Ｌ５の部分を覆っている。
【００５０】
このように、スペーサ５の被潜行ガイド部５ｂは、イメージセンサ４の両端部４ａで、固定読みガラス１及び流し読みガラス２の下面１ｂ，２ｂに対向する位置に設けられている。しかも、スペーサ５の被潜行ガイド部５ｂは、光源４１と導光体４２の端部とを覆っている。このため、読取ユニット３０２の移動方向に対して直交する方向の長さを短くして、画像読取装置３００を小型にすることができる。また、このような画像読取装置３００を装置本体４００に備えた複写機１００も小型にすることができる。
【符号の説明】
【００５１】
１：固定読みガラス（透明部材）、１ａ：上面、１ｂ：下面、２：流し読みガラス（透明部材）、２ａ：上面、２ｂ：下面、４：イメージセンサ（読取手段）、５：スペーサ、５ａ：摺動突起（第１摺動部）、５ｂ：被潜行ガイド部（第２摺動部）、６：潜行ガイド部（押圧部材）、６ａ：下端面、８：圧縮コイルばね（付勢手段）、１３：掬い上げ部材、４４：ＣＣＤセンサ（受光センサ）、６１：照射部、１００：複写機（画像形成装置）２００：自動原稿送り装置、３００：画像読取装置、３０３：画像読取部、Ｐ：シート、Ｄ：原稿、Ｇ：隙間、Ｈ１：摺動突起の突出高さ、Ｌ１：潜行ガイド部の突出長さ、Ｌ２：照射部の長さ、Ｌ３：集光レンズの長さ、Ｌ４：ＣＣＤセンサ４４の長さ、Ｌ５，Ｌ６：照射部のＣＣＤセンサより長い部分。
【図１】
2016005223.tif 000003
【図２】
2016005223.tif 000004
【図３】
2016005223.tif 000005
【図４】
2016005223.tif 000006
【図５】
2016005223.tif 000007
【図６】
2016005223.tif 000008
【図７】
2016005223.tif 000009
【図８】
2016005223.tif 000010
【図９】
2016005223.tif 000011